(57)【要約】 【課題】ローションの効果を長続きさせるべく手又は足を保護すると同時に着用時に動きやすい手又は足用トリートメント装置を提供する。【解決手段】内層カバー１０と外層カバー２０とより構成し、前記内層カバー１０を柔軟性と吸着性を有する素材により手又は足の形状に形成し、且つ肌を潤すローションを吸収させておき、一方外層カバー２０は柔軟性と隔離性を有するプラスティックやラバー或いはシリコンにより手又は足の形状に形成し、前記内層カバーに吸収したローションが外部に浸透しない作用を提供し、前記外層カバー２０の手首又は足首付近に固定装置３０を設け、使用時に前記内層カバー１０を手又は足に着用した後、前記外層カバーを被覆する。【選択図】      図１
0003103601.tif 000002
【実用新案登録請求の範囲】
【請求項１】
内層カバーと外層カバーとから構成される手又は足用トリートメント装置において、
柔軟性及び吸着性を有する不織布や棉を素材とし、この素材を手や足の形状に形成し、且つローション等を吸収させた内層カバーと、
柔軟性及び隔離性を有するプラスティックやラバー或いはシリコンを素材とし、この素材を手や足の形状に形成し、前記ローションを外部へ浸透させない外層カバーと、
を具備し、
前記内層カバーを手や足の適切な部位に着用した後、前記外層カバーを該内層カバーの外側より被覆し、該内層カバーが前記外層カバー内に被覆されることにより、手又は足のトリートメント作用を行うことを特徴とする手又は足用トリートメント装置。
【請求項２】
前記層カバーの手首又は足首付近には、固定装置が設けられていることを特徴とする請求項１記載の手又は足用トリートメント装置。
【請求項３】
前記固定装置は、粘着テープなどによる粘着により固定するものであることを特徴とする請求項１記載の手又は足用トリートメント装置。
【請求項４】
前記固定装置は、ボタンなどの留め具であることを特徴とする請求項１記載の手又は足用トリートメント装。
【請求項５】
前記固定装置は、ゴムなどによる弾力を利用したものであることを特徴とする請求項１記載の手又は足用トリートメント装置。
【考案の詳細な説明】
【技術分野】
【０００１】
本考案は、手や足のトリートメントを行うべく着用した際、手や足を楽に動かすことができる手又は足用トリートメント装置に関する。
【背景技術】
【０００２】
特に冬時は、乾燥することにより皮膚の水分が失われやすく、また手や足は物と絶えず接触しやすい個所であることから皮膚が非常に乾燥する。このように乾燥した手や足は、ひどくなると亀裂が入り出血するといった状況が起こることもある。そこで、乾燥を防ぎ、手又は足を潤す最も一般的な方法としては、油分の高いローション等を手や足に塗る方法が挙げられる。
【考案の開示】
【考案が解決しようとする課題】
【０００３】
しかしながら、上述のようにローションを皮膚に塗るだけでは以下のような欠点がある。
【０００４】
先ず、油を含んだローション類を手に塗った後、ペンを握ると滑りやすく、紙を油で汚すことでインクが紙にのらない、或いは触れた物に油が付着してしまうことが多々あり、または手を洗うことでローションが洗い流されてしまい効果が長続きしない。一方、足においては、ローションを塗った直後に靴下を履いて効果を持続させるのが理想的であるが、多くの者はこれを怠ってしまい塗ったローションが無駄になってしまう。また、これらの問題を解決するべく専用の手袋や靴下も開発されているが、着用することで楽に動くことができないなどの不具合も生じやすい。
【０００５】
本考案は、これれの事情に鑑みてなされたもので、ローションの効果を長続きさせるべく手又は足を保護すると同時に、着用時に手又は足を動きやすくした手又は足用トリートメント装置を提供することを目的とする。
【課題を解決するための手段】
【０００６】
前記目的を達成するため本考案による手又は足用ローション装置は、内層カバーと外層カバーとより構成し、前記内層カバーを柔軟性と吸着性を有する素材により手又は足の形状に形成し、且つこの内層カバーに肌を潤すローションを吸収させておき、前記外層カバーは柔軟性と隔離性を有するプラスティックやラバー或いはシリコンなどにより手又は足の形状に形成し、前記内層カバーに吸収させたローションが外部に浸透しない作用をなし、前記外層カバーの手首又は足首近傍に固定装置を設け、使用時には前記内層カバーを手又は足に着用した後、前記外層カバーを被覆するものである。
【考案の効果】
【０００７】
本考案によると、材質が柔軟であることから着用している際でも手又は足を楽に動かすことができるため、長時間着用するのに適しており、この長時間の着用により潤い効果を長続きさせ、また外層カバーで外界と隔離することによりローションが外部へ浸透するのが防止されて汚すこともない等の効果を得ることができる。
【考案を実施するための最良の形態】
【０００８】
以下、図面を参照して本校なの実施例を説明する。
【実施例】
【０００９】
図１及び図５に示すように、本考案の一実施例の手又は足用トリートメント装置は、内層カバー１０と外層カバー２０とより構成される。
【００１０】
図１，２及び図５，６に示すように、前記内層カバー１０は、柔軟且つ吸着性に優れた不織布や棉を素材としており、これにより手又は足の形状のグラブ又はソックスを形成し、且つ前記内層カバー１０には肌を潤すローションが吸収されており、これによって手又は足を保護する膜としての役割を果たすようになっている。
【００１１】
図１，２及び図５，６に示すように、前記外層カバー２０は、柔軟且つ隔離性を有するプラスティックやラバー、若しくはシリコンなどを素材としており、この素材を手又は足の形状のグラブ又はソックスを形成し、肌を潤す前記内層カバーに吸収させたローションが外部へ滲み出ないようにしている。また、前記外層カバー２０の手首又は足首付近には、固定装置３０が設けられている。この固定装置３０は、図１，２に示すような一般に面ファスナー、或いは図３に示すようなすボタンなどの留め具、若しくは図４に示すようなゴムなどによる弾力方式などを採用するものとする。
【００１２】
前記内層カバー１０と該外層カバー２０を組み合わせて本考案の手又は足用トリートメント装置を使用する際には、先ず前記内層カバー１０を手又は足にはめた後、前記外層カバー２０を該内層カバー１０の外側から被せ、この内層カバー１０が前記外層カバー２０の内部に被覆されるようにする。こうして一つの手又は足用トリートメント装置が完成し、手又は足に着用することにより、前記内層カバー１０に吸収されているローションが乾燥したり亀裂の入った手足の肌を潤すものである。
【図面の簡単な説明】
【００１３】
【図１】本考案の一実施例における立体分解図であり、固定装置として面ファスナーを使用した例を示す図である。
【図２】本考案の一実施例における組み立て後の立体図であり、固定装置として面ファスナーを使用した例を示す図である。
【図３】本考案の一実施例における固定装置をボタンなどの留め具とした場合における例を示す図である。
【図４】本考案の一実施例における固定装置をゴムなどによる弾力を利用したものとした場合における例を示す図である。
【図５】本考案の一実施例を、足用とした場合における立体分解図である。
【図６】本考案の一実施例を、足用とした場合における組み立て後の立体図である。
【符号の説明】
【００１４】
１０  内層カバー
２０  外層カバー
３０  固定装置
代理人  弁理士    伊藤  進
【図１】
0003103601.tif 000003
【図２】
0003103601.tif 000004
【図３】
0003103601.tif 000005
【図４】
0003103601.tif 000006
【図５】
0003103601.tif 000007
【図６】
0003103601.tif 000008